(57)【要約】【課題】冷凍庫の容積を大きく確保する上で、また、工期の短縮化、コストの削減化を図る上で有利な物流冷凍倉庫を提供することにある。【解決手段】冷凍庫１２を含む物流冷凍倉庫１２の屋根２０、外壁２２、間仕切壁２４を構成する区画部材Ｋは、全て断熱パネル３０のみで形成されている。断熱パネル３０は、ロックウールまたはセルロース繊維からなる板状体と、それら板状体をその厚さ方向から挟んだ鋼板で形成されている。断熱パネル３０は、幅よりも長さが極めて大きい細長形状に形成されている。外壁２２は、断熱パネル３０の長さ方向を水平方向に向け上下方向に並べられた横貼りで形成されている。間仕切壁２は、断熱パネル３０の長さ方向を鉛直方向に向け水平方向に並べられた縦貼りで形成されている。【選択図】図１
2010107106.tif 000002
【特許請求の範囲】
【請求項１】
冷凍庫を有する物流冷凍倉庫であって、
前記冷凍庫を含む冷凍倉庫の屋根、外壁、間仕切壁を構成する区画部材は、全てロックウールまたはセルロース繊維を鋼板で挟んで構成された断熱パネルのみで形成されている、
ことを特徴とする物流冷凍倉庫。
【請求項２】
前記断熱パネルは、幅よりも長さが十分に大きい細長形状を呈し、
前記外壁は、前記断熱パネルの長さ方向を水平方向に向け上下方向に並べられた横貼りで形成され、
前記間仕切壁は、前記断熱パネルの長さ方向を鉛直方向に向け水平方向に並べられた縦貼りで形成されている、
ことを特徴とする請求項１記載の物流冷凍倉庫。
【発明の詳細な説明】
【技術分野】
【０００１】
本発明は物流冷凍倉庫に関する。
【背景技術】
【０００２】
従来、冷凍倉庫を建築する場合、冷凍庫の部分は、冷凍倉庫を構成するコンクリートパネルやＡＬＣパネルなどからなる区画部材（屋根、外壁、間仕切壁）の内側に、断熱性を有する保温パネルなどを取り付けることで冷凍区画している。
【特許文献１】特開平１１−２９４９４２
【発明の開示】
【発明が解決しようとする課題】
【０００３】
そのため、従来の施工方法では、区画部材に保温パネルなどを取り付けることから、冷凍庫を冷凍区画する壁や屋根の厚さが大きくなり、限られた敷地面積内において冷凍庫の容積を大きく確保する上で不利があった。
また、従来の施工方法では、建物躯体に区画部材を取り付ける手間と、区画部材に保温パネルを取り付ける手間との２重の手間がかかり、工期の短縮化、コストの削減化を図る上で不利があった。
特に、物流事業で用いられる大規模な（例えば、３万〜５万平米の大きさの）冷凍倉庫では、いわゆる物流冷凍倉庫では、コンクリートパネルやＡＬＣパネルなどからなる区画部材、保温パネルの数が膨大となることから何らかの改善が望まれていた。
【０００４】
本発明は前記事情に鑑みなされたものであり、その目的は、冷凍庫の容積を大きく確保する上で、また、工期の短縮化、コストの削減化を図る上で有利な物流冷凍倉庫を提供することにある。
【課題を解決するための手段】
【０００５】
上記目的を達成するため、本発明は、冷凍庫を有する物流冷凍倉庫であって、前記冷凍庫を含む物流冷凍倉庫の屋根、外壁、間仕切壁を構成する区画部材は、全てロックウールまたはセルロース繊維を鋼板で挟んで構成された断熱パネルのみで形成されていることを特徴とする。
【発明の効果】
【０００６】
本発明では、鋼板で断熱材を挟んだパネルを、柱や、床、梁などに取り付けることで冷凍庫を有する物流冷凍倉庫が建設され、冷凍庫の容積を大きく確保する上で、また、工期の短縮化、コストの削減化を図る上で有利となる。
【発明を実施するための最良の形態】
【０００７】
以下、本発明の実施の形態を図面を参照して説明する。
図１は物流冷凍倉庫の分解斜視図を示している。
物流冷凍倉庫１０は、２つの冷凍庫１２を有している。
冷凍庫１２を含む物流冷凍倉庫１０の屋根２０、外壁２２、間仕切壁２４を構成する区画部材Ｋは、全て断熱パネル３０のみで形成されている。
【０００８】
図２は断熱パネルの分解斜視図、図３（Ａ）、（Ｂ）は断熱パネルを並べる際の説明図である。
断熱パネル３０は、ロックウールまたはセルロース繊維（ 再生パルプ繊維）からなる板状体３２と、それら板状体３２をその厚さ方向から挟んだ鋼板３４で形成されている。
なお、ロックウール、セルロース繊維には防燃処理が施されている。
断熱パネル３０は、幅よりも長さが極めて大きい細長形状に形成され、例えば、幅が１メートル、長さが１０メートルである。
断熱パネル３０は、例えば、幅方向の一端に凸部３００２が設けられ、幅方向の他端に凹部３００４が設けられ、断熱パネル３０を柱や、床、梁などに取り付ける際に、隣り合う断熱パネル３０間において凸部３００２と凹部３００４を係合させ、複数の断熱パネル３０を隙間なく並べられるように構成されている。
なお、凹部３００４の底部には、セラミックファイバーブランケット３６が配置されている。
【０００９】
図４に示すように、外壁２２は、断熱パネル３０の長さ方向を水平方向に向け上下方向に並べられた横貼りで形成されている。
外壁２２を構成する断熱パネル３０は、例えば、柱Ｈに取着されることで配設されている。
図５に示すように、間仕切壁２４は、断熱パネル３０の長さ方向を鉛直方向に向け水平方向に並べられた縦貼りで形成されている。
間仕切壁２４を構成する断熱パネル３０は上下のランナーを介して配設されている。
屋根２０を構成する断熱パネル３０は柱の上端間に掛け渡されることで配設されている。
なお、図６に示すように、屋根２０を構成する断熱パネル３０が室内に臨む面を、凹凸を付けた波形３０Ａにするなど任意である。
【００１０】
本実施の形態によれば、鋼板３４でロックウールまたはセルロース繊維（ 再生パルプ繊維）からなる板状体３２を挟んだ断熱パネル３０を、柱や、床、梁などに取り付けることで冷凍庫１２を有する物流冷凍倉庫１０が建設される。
したがって、従来のように、コンクリートパネルやＡＬＣパネルなどからなる区画部材に保温パネルを取り付ける場合に比べて、冷凍庫１２の容積を大きく確保する上で、また、工期の短縮化、コストの削減化を図る上で有利となる。
具体的には、―２５℃の冷凍庫を建設する場合、従来では、厚さが１００ｍｍのコンクリートパネルやＡＬＣパネルなどからなる区画部材に、厚さが１２０ｍｍの保温パネルを取り付けていたのに対して、本発明では厚さが１００ｍｍの断熱パネル１枚で足りるため、冷凍庫の容積を大きく確保する上で有利となる。
また、厚さが１２０ｍｍの多数の保温パネルを省略できることから材料費を削減でき、また、断熱パネル３０のみの取り付けで区画部材が完成されることから、工期の短縮化、コストの削減化を図る上で有利となる。
従って、本実施の形態は、特に、コンクリートパネルやＡＬＣパネル、保温パネルの数が膨大となる物流事業で用いられる大規模な（例えば、３万〜５万平米の大きさの）冷凍倉庫である物流冷凍倉庫１０に好適となる。
【図面の簡単な説明】
【００１１】
【図１】物流冷凍倉庫の分解斜視図である。
【図２】断熱パネルの分解斜視図である。
【図３】（Ａ）、（Ｂ）は断熱パネルを並べる際の説明図である。
【図４】外壁の説明図である。
【図５】間仕切壁の説明図である。
【図６】屋根を構成する断熱パネルの説明図である。
【符号の説明】
【００１２】
１０……物流冷凍倉庫、１２……冷凍庫、２０……屋根、２２……外壁、２４……間仕切壁、３０……断熱パネル、３２……ロックウールまたはセルロース繊維からなる板状体、３４……鋼板。
【図１】
2010107106.tif 000003
【図２】
2010107106.tif 000004
【図３】
2010107106.tif 000005
【図４】
2010107106.tif 000006
【図５】
2010107106.tif 000007
【図６】
2010107106.tif 000008